(57)【要約】【課題】  輸送時にシールが切れないように強度を確保しつつ、使用時に破断させるときに良好な開封性を有するセキュリティーシールを提供する。【解決手段】  セキュリティーシール１４は、磁気カートリッジＤを収容する収容体１０の本体１１にヒンジ部１３を介して開閉可能に設けられた蓋部１２の開閉側端部とヒンジ部側端部との間の側縁部に跨るように貼り付けられ、シール基材１４ａと、側縁部に沿って切り込まれた複数のスリットからなるミシン部１５とを備え、複数のスリットのうち蓋部１２の開閉側端部に最も近いスリットがシール基材１４ａの端縁部１４ｂから切り込まれている、又は、複数のスリット同士の間隔が蓋部１２の開閉側でヒンジ部側より狭くなるように形成されている。【選択図】  図４
2005196023.tif 000002
【特許請求の範囲】
【請求項１】
磁気カートリッジを収容する収容体の本体にヒンジ部を介して開閉可能に設けられた蓋部の開閉側端部と前記ヒンジ部側端部との間の側縁部に跨るように貼り付けられるセキュリティーシールであって、
シール基材と、前記側縁部に沿って切り込まれた複数のスリットからなるミシン部とを備え、前記複数のスリットのうち前記蓋部の開閉側端部に最も近いスリットが前記シール基材の端縁部から切り込まれていることを特徴とするセキュリティーシール。
【請求項２】
磁気カートリッジを収容する収容体の本体にヒンジ部を介して開閉可能に設けられた蓋部の開閉側端部と前記ヒンジ部側端部との間の側縁部に跨るように貼り付けられるセキュリティーシールであって、
シール基材と、前記側縁部に沿って切り込まれた複数のスリットからなるミシン部とを備え、前記複数のスリット同士の間隔が前記蓋部の開閉側でヒンジ部側より狭くなるように形成されていることを特徴とするセキュリティーシール。
【請求項３】
上記請求項１又は２に記載のセキュリティーシールを用いて封緘した磁気カートリッジの収容体。
【発明の詳細な説明】
【技術分野】
【０００１】
本発明は、磁気カセットカートリッジの収納体を封緘するセキュリティーシールに関する。
【背景技術】
【０００２】
従来、コンピュータのデータバックアップ用の記録媒体としては、磁気テープを巻装した単一のリールを長方体形状の筐体に収容して構成された磁気テープカートリッジや、磁気ディスクを筐体に回転可能に収容して構成されたディスクカートリッジ（以下、総称して磁気カートリッジという。）が用いられている。
【０００３】
これら磁気カートリッジは、外部から衝撃が加わることや磁気テープや磁気ディスクに塵埃が付着することを避けるため、搬送や保管の際には専用の収納体に収められている。
【０００４】
磁気カートリッジの収納体には、工場から出荷されてから使用されるまでに磁気カートリッジが一度も使用されていないことを示すための封緘として機能するセキュリティーシールが貼り付けられている（例えば、特許文献１など）。
【０００５】
【特許文献１】特開２００２−３４７８７５号公報
【発明の開示】
【発明が解決しようとする課題】
【０００６】
ところで、磁気カートリッジの収納体に貼り付けられたセキュリティーシールは、輸送時に破れてしまうことがあった。
一方、輸送時にセキュリティーシールが破れないようにするため、セキュリティーシールの基材を強度の大きいものを使用することやセキュリティーシールを破断させる線に沿って切り込まれたスリットの大きさを小さくすることが考えられるが、こうすると、使用時においてセキュリティーシールを破断させにくくなり、使い勝手がよくなかった。
このように、従来のセキュリティーシールは、輸送時にセキュリティーシールが切れないように強度を確保しつつ、使用時に破断させるときに良好な開封性を有するようにする点で改善の余地があった。
【０００７】
本発明は、上記事情に鑑みてなされたもので、その目的は、輸送時にシールが切れないように強度を確保しつつ、使用時に破断させるときに良好な開封性を有するセキュリティーシールを提供することにある。
【課題を解決するための手段】
【０００８】
本発明の上記目的は、磁気カートリッジを収容する収容体の本体にヒンジ部を介して開閉可能に設けられた蓋部の開閉側端部とヒンジ部側端部との間の側縁部に跨るように貼り付けられるセキュリティーシールであって、シール基材と、側縁部に沿って切り込まれた複数のスリットからなるミシン部とを備え、複数のスリットのうち蓋部の開閉側端部に最も近いスリットがシール基材の端縁部から切り込まれていることを特徴とするセキュリティーシールによって達成される。
【０００９】
本発明のセキュリティーシールは、シール基材に形成された複数のスリットを、蓋部の側縁部に沿って切り離して分断させることで、収容体が開けられたことを利用者に確認せしめる封緘として機能する構成である。ここで、セキュリティーシールにおいて、複数のスリットのうち、蓋部の開閉側端部に最も近いスリットが、破断させる方向において開始位置に相当し、該スリットがシール基材の端縁部から予め切り込まれている。このため、蓋部を開放する際に、この端縁部から切り込まれたスリットを破くことで、隣り合う他のスリットを容易に破いていくことができる。
また、シール基材の端縁部から切り込まれたスリットを設ければ、セキュリティーシールが破断されるときに必要な負荷を小さくすることによって開封性を確保できる一方、他のスリットの寸法や間隔を小さくすることが可能になり、該他のスリットの長さの短縮化やスリットの数の減少を図ることによって、セキュリティーシールの搬送時や保管時における強度を向上させることができる。
【００１０】
また、本発明の上記目的は、磁気カートリッジを収容する収容体の本体にヒンジ部を介して開閉可能に設けられた蓋部の開閉側端部と前記ヒンジ部側端部との間の側縁部に跨るように貼り付けられるセキュリティーシールであって、シール基材と、側縁部に沿って切り込まれた複数のスリットからなるミシン部とを備え、複数のスリット同士の間隔が蓋部の開閉側でヒンジ部側より狭くなるように形成されていることを特徴とするセキュリティーシールによって達成される。
【００１１】
本発明のセキュリティーシールは、複数のスリット同士の間隔が、蓋部の開閉側で広く、且つ、ヒンジ部側で狭くなるように構成されている。このため、蓋部をヒンジ部によって開放する際には、スリットの間隔が狭いため破りやすく、ヒンジ部側の比較的広い間隔で形成されたスリットについても既に破れた部位から容易に破いていくことができる。
このため、シール基材をより強度が高いものを用いる場合に、開閉側のスリット間隔を狭くすることでセキュリティーシールが破断されるときに必要な負荷を小さくすることによって開封性を確保できる一方、ヒンジ部側のスリットの間隔が開閉端部側のスリットの間隔よりも広く形成されているため、セキュリティーシールの搬送時や保管時における強度を向上させることができる。
【００１２】
さらに、上記のセキュリティーシールを用いて封緘した磁気カートリッジの収容体とすれば、使用時にはスリットを容易に破くことができる上、輸送時や保管時にセキュリティーシールが不測に破れてしまうことを抑制でき、信頼性が高いので好ましい。
【００１３】
なお、シール基材としては、例えば、粘着紙やアルミニウム箔を貼合した粘着紙を用いることができる。また、より強度の高いシール基材としては、例えば、ＰＰ（ポリプロピレン）シート，ＰＥ（ポリエステル）シートを用いることができる。
【発明の効果】
【００１４】
本発明によれば、輸送時にシールが切れないようにしつつ、使用時に破断させるときに良好な開封性を確保できるセキュリティーシールを提供できる。
【発明を実施するための最良の形態】
【００１５】
以下、本発明の実施形態を図面に基づいて詳しく説明する。
（第１の実施形態）
図１は、本発明にかかるセキュリティーシールを用いた磁気カートリッジの収容体の一実施形態を示す図である。図２は、磁気カートリッジの収容体の蓋部を開放した状態を示す図である。
図１に示すように磁気カートリッジＤを収容する収容体１０は、本体１１と、本体１１にヒンジ部１３を介して開閉可能に連結された蓋部１２を有するものである。
【００１６】
本体１１は、方形平板状の底板１１ａと、該底板１１ａにおいて蓋部１２側の周縁部に立設された背板１１ｂと、底板１１ａの両側縁部にそれぞれ立設された側板１１ｃとを有している。
【００１７】
蓋部１２は、本体１１の底板１１ａと同じ形状の方形平板状の上板１２ａと、この上板１２ａの一辺には、本体１１の背板１１ｂと同じ形状である前板１２ｂが立設されている。蓋部１２を閉じた状態において、これら底板１１ａと、背板１１ｂと、両方の側板１１ｃと、蓋部１２の上板１２ａ及び前板１２ｂとによって、磁気カートリッジＤが収容される空間が構成される。
【００１８】
蓋部１２は、前板１２ｂが設けられた端縁部と反対側の端縁部には薄肉に形成されたヒンジ部１３が設けられ、このヒンジ部１３によって本体１１の背板１１ｂの上端部に連結されている。こうして、蓋部１２は、本体１１に対して図中矢印Ｗ方向に開閉可能な構成である。
【００１９】
また、蓋部１２の両側縁部１２ｃには、側壁１２ｄがそれぞれ立設されている。蓋部１２を閉じた状態で、両側縁部１２ｃが本体１１の側板１１ｃの上端部に当接するとともに、側壁１２ｄの外側面が側板１１ｃの内側面と当接するように構成されている。蓋部１２の前板１２ｂの上端部と本体１１の底板１１ａのそれぞれに互いに係合可能な凹凸を設け、蓋部１２を閉じた際に、嵌め合う構成としてもよい。
【００２０】
図３は、図１に示す磁気カートリッジの収納体におけるＸ部分の拡大図である。図１及び図３に示すように、蓋部１２の開閉側端部とヒンジ部側端部との間の側縁部１２ｃに跨るようにセキュリティーシール１４が貼り付けられている。
【００２１】
セキュリティーシール１４には、蓋部１２を開ける際に図中矢印Ｏ方向に切り離されて、セキュリティーシール１４を二分するミシン部１５が設けられている。セキュリティーシール１４は、上記ミシン部１５が蓋部１２の上板１２ａと本体１１の側板１１ｃとの境界部１１ｅ上に位置するように貼り付けられている。
【００２２】
図４は、本実施形態にかかるセキュリティーシールを平面視した状態を示す図である。図４に示すように、セキュリティーシール１４は、略長方形のシール基材１４ａを有している。ミシン部１５は、シール基材１４ａの幅方向の一端部（図１において蓋部１２の前板１２ｂ側の端部）１４ｂから他端部にかけて、直線状に複数のスリットｓ１，ｓ２が切り込まれている。
【００２３】
シール基材１４ａにおいて、本体１１に貼り付ける側の面には図示しない接着剤が塗布されている。接着剤としては、例えば、アクリル系溶剤型粘着剤やアクリル酸エステル共重合体などを用いることができる。
【００２４】
本実施形態において、シール基材１４ａには、シール基材１４ａを破断させる方向である図４中矢印Ｏ方向に対する破断開始側に位置するとともに、蓋部１２の前板１２ｂ側（図１参照）の端部１４ｂからスリットｓ１が予め切り込まれている。また、他のスリットｓ２が、シール基材１４ａの幅方向に対してスリットｓ１の延長線上に等しい寸法で、同じ間隔で形成されている。
【００２５】
なお、本実施形態において、シール基材１４ａとしてアルミニウム箔を貼合した粘着紙を使用し、厚さを８０μｍとした。また、シール基材１４ａの幅方向寸法を２５ｍｍ〜３０ｍｍとし、シール基材１４ａの幅方向に対するスリットｓ１の寸法を１ｍｍ〜２ｍｍとし、シール基材１４ａの幅方向に対するスリットｓ２の寸法を１ｍｍ〜２ｍｍとし、シール基材１４ａの幅方向に対するスリットｓ２同士の間隔を２ｍｍ〜３ｍｍとした。
【００２６】
このように、本実施形態のセキュリティーシール１４は、シール基材１４ａに形成された複数のスリットｓ１，ｓ２からなるミシン部１５を、磁気カートリッジＤの収容体１０における本体１１と蓋部１２との境界部１１ｅに沿って切り離して分断させることで、収容体１０が開けられたことを利用者に確認せしめる封緘として機能する構成である。ここで、セキュリティーシール１４において、複数のスリットｓ１，ｓ２のうち、蓋部１２の開閉側端部のスリットｓ１の位置は破断させる方向において開始位置に相当し、該スリットｓ１がシール基材１４ａの端縁部１４ｂから予め切り込まれている。このため、蓋部１２を開放する際に、この端縁部１４ｂから切り込まれたスリットｓ１から破くことで、隣り合う他のスリットｓ２も容易に破くことができる。
【００２７】
また、シール基材１４ａの端縁部１４ｂから切り込まれたスリットｓ１を設けたため、セキュリティーシール１４が破断されるときに必要な負荷を小さくすることによって開封性を確保できる一方、他のスリットｓ２の寸法や間隔を小さくすることが可能になり、該他のスリットｓ２の長さの短縮化やスリットｓ２の数の減少を図ることによって、セキュリティーシール１４の搬送時や保管時における強度を向上させることができる。
【００２８】
（第２の実施形態）
次に、本発明にかかるセキュリティーシールの第２の実施形態を説明する。なお、以下に説明する実施形態において、すでに説明した部材などと同等な構成・作用を有する部材等については、図中に同一符号又は相当符号を付すことにより、説明を簡略化或いは省略する。
図５は、本実施形態のセキュリティーシールを平面視した状態を示す図である。セキュリティーシール１４のシール基材１４ａには、シール基材１４ａの幅方向の一端部（図１において蓋部１２の前板１２ｂ側の端部）１４ｂから他端部にかけて、直線状に切り込まれた複数のスリットｓ３，ｓ４からなるミシン部１５Ａ，１５Ｂが設けられている。
【００２９】
複数のスリットｓ３，ｓ４同士の間隔が蓋部１２（図１参照）の開閉側でヒンジ部側より狭くなるように形成されている。具体的には、開閉側に位置するミシン部１５Ａを構成するスリットｓ３同士の間隔が、ヒンジ側に位置するミシン部１５Ｂを構成するスリットｓ４同士の間隔より小さく且つ密になるように構成されている。
【００３０】
また、シール基材１４ａの幅方向寸法を２５ｍｍ〜３０ｍｍとし、シール基材１４ａの幅方向に対するスリットｓ３の寸法を０．３ｍｍ〜０．６ｍｍとし、シール基材１４ａの幅方向に対するスリットｓ４の寸法を０．６ｍｍ〜０．９ｍｍとし、シール基材１４ａの幅方向に対するスリットｓ３同士の間隔を０．５ｍｍ〜０．８ｍｍとし、シール基材１４ａの幅方向に対するスリットｓ４同士の間隔を０．８ｍｍ〜１．０ｍｍとした。
【００３１】
このように、本実施形態のセキュリティーシール１４は、複数のスリットｓ３，ｓ４同士の間隔が、蓋部１２の開閉側で広く、且つ、ヒンジ部側で狭くなるように構成されている。このため、蓋部１２を開放する際には、ミシン部１５Ａのスリットｓ３同士の間隔が狭いため破りやすく、ヒンジ部側に位置するスリットｓ４同士の間隔が広く形成されたミシン部１５Ｂについても既に破れた部位から容易に破いていくことができる。
【００３２】
このため、例えばシール基材１４ａをより強度が高いものを用いる場合に、開閉側のスリットｓ３同士の間隔を狭くすることでセキュリティーシール１４が破断されるときに必要な負荷を小さくすることによって開封性を確保できる一方、ヒンジ部側のスリットｓ４同士の間隔が開閉端部側のスリットｓ３同士の間隔よりも広く形成されているため、破れにくくなり、セキュリティーシール１４の搬送時や保管時における強度を向上させることができる。より強度が高いシール基材１４ａとしては、例えば、ＰＰ（ポリプロピレン）シート，ＰＥ（ポリエステル）シートである。
【００３３】
また、上記第１の実施形態及び第２の実施形態のセキュリティーシール１４を用いて封緘した磁気カートリッジＤの収容体１１とすれば、使用時にはスリットを容易に破くことができる上、輸送時や保管時にセキュリティーシールが破れてしまうことを抑制でき、信頼性が高いので好ましい。
【００３４】
なお、本発明は、前述した実施形態に限定されるものではなく、適宜な変形、改良などが可能である。
【図面の簡単な説明】
【００３５】
【図１】本発明にかかるセキュリティーシールを用いた磁気カートリッジの収容体の一実施形態を示す図である。
【図２】図１に示す磁気カートリッジの収容体の蓋部を開放した状態を示す図である。
【図３】図１に示す磁気カートリッジの収納体におけるＸ部分の拡大図である。
【図４】本発明にかかるセキュリティーシールの第１の実施形態を平面視した状態を示す図である。
【図５】本発明にかかるセキュリティーシールの第２の実施形態を平面視した状態を示す図である。
【符号の説明】
【００３６】
１０    （磁気カートリッジの）収納体
１１    本体
１２    蓋部
１３    ヒンジ部
１４    セキュリティーシール
１５    ミシン部
Ｄ      磁気カートリッジ
【図１】
2005196023.tif 000003
【図２】
2005196023.tif 000004
【図３】
2005196023.tif 000005
【図４】
2005196023.tif 000006
【図５】
2005196023.tif 000007